(57)【要約】【課題】防塵性・耐衝撃性に優れた収納ケースで、尚且つ、収納ケースに記録カートリッジを収納した状態でも、収納ケースの外側から記録カートリッジの情報を確認できる、記録カートリッジの収納ケースを提供する。【解決手段】情報記録用の記録カートリッジの収納ケースにおいて、記録カートリッジが収納ケースに収納された状態で記録カートリッジの一部が収納ケースの外側から見える窓部を備え、窓部は防塵用で透明のフィルムで覆われており、フィルムは収納ケースに溶着されている記録カートリッジ用収納ケースを提供する。【選択図】図１
2010267351.tif 000002
【特許請求の範囲】
【請求項１】
情報記録用の記録カートリッジの収納ケースにおいて、
記録カートリッジが収納ケースに収納された状態で記録カートリッジの一部が収納ケースの外側から見える窓部を備え、
窓部は防塵用で透明のフィルムで覆われており、
フィルムは収納ケースに溶着されている記録カートリッジ用収納ケース。
【請求項２】
請求項１に記載の記録カートリッジ用収納ケースであって、
フィルムは、収納ケースの外面に溶着されている記録カートリッジ用収納ケース。
【請求項３】
請求項１に記載の記録カートリッジ用収納ケースであって、
フィルムの厚さは０．５ｍｍ以下で、収納ケースと同一の材質とする記録カートリッジ用収納ケース。
【発明の詳細な説明】
【技術分野】
【０００１】
本発明はテープカートリッジやディスクカートリッジになどの記録カートリッジの収納ケースに関わる。
【背景技術】
【０００２】
放送局向けや消費者向けのテープカートリッジやディスクカートリッジは、保存用に、一般的には別に用意される合成樹脂製の収納ケースに収納されることが多い。例えば、特許文献１にあるように、収納部と、蓋部と、ヒンジ部と、からなるテープカセット用収納ケースが知られている。このようなテープカセット用収納ケースは、一般的に灰色、黒色などの不透明な樹脂材料を使用しており、収納するカートリッジの情報を確認するためには収納ケースを一旦開ける必要があり、手間がかかる問題があった。
【０００３】
これらを解決する手段として、特許文献２や３のように、収納ケースにカートリッジの一部を露出させてカートリッジの記録情報を収納ケースから取り出さなくても見えるようにした物（特許文献２）や、外部をビニールシートで被覆された陳列ケースに窓部を設けて、貸出ＯＫ又は貸出中などの記録媒体の情報を窓部を通して読み取り可能である物（特許文献３）等があった。
【先行技術文献】
【特許文献】
【０００４】
【特許文献１】特開２００６−１６０２５号公報
【特許文献２】特開平７−１９１６１０号公報
【特許文献３】特開平７−３３００６６号公報
【発明の概要】
【発明が解決しようとする課題】
【０００５】
ところで、テープカートリッジやディスクカートリッジなどの記録カートリッジは画像やデータの保存のために長期保存に耐えうる程度の防塵性と、落下衝撃に耐えられるような耐衝撃性とを備えているのが好ましい。特許文献１のような収納ケースであれば防塵性・耐衝撃性について問題は無いが、前述したように記録カートリッジの情報を確認するために収納ケースを一旦開ける必要がある。また、一部の収納ケースは透明な材料を全体に使用して、カートリッジの情報を確認することが出来るようにしているが、一般的に透明な材料は物性面で不透明な材料よりも劣る傾向にある。
【０００６】
また、特許文献２はブックケース型の収納ケースのため、防塵性については問題にしてはいない。
【０００７】
特許文献３はケースとビニールシートの間にカバーシートを挿入して取り付ける構造なので、防塵性に劣る。
【０００８】
本発明はかかる問題点に鑑み、防塵性・耐衝撃性に優れた収納ケースで、尚且つ、収納ケースに記録カートリッジを収納した状態でも、収納ケースの外側から記録カートリッジの情報を確認できる、記録カートリッジの収納ケースを提供する。
【課題を解決するための手段】
【０００９】
すなわち、情報記録用の記録カートリッジの収納ケースにおいて、記録カートリッジが収納ケースに収納された状態で記録カートリッジの一部が収納ケースの外側から見える窓部を備え、窓部は防塵用で透明のフィルムで覆われており、フィルムは収納ケースに溶着されている記録カートリッジ用収納ケースを提供する。
【００１０】
更に、本発明の記録カートリッジ用の収納ケースの防塵用の透明フィルムは、収納ケースの外側で溶着されていると好ましい。更に、防塵用の透明フィルムの厚さは０．５ｍｍ以下で収納ケースと同一の材質とすると好ましい。
【発明の効果】
【００１１】
記録カートリッジが収納ケースに収納された状態で記録カートリッジの一部が収納ケースの外側から見える窓部を備え、窓部は防塵用で透明のフィルムで覆われており、フィルムは収納ケースに溶着されていると、窓部を介して収納ケース内に塵埃が進入することがないので、記録カートリッジを長期保存させることが出来る。
【００１２】
また、記録カートリッジの収納ケースの窓部に対応する部分に記録カートリッジの情報（例えば記録日、保存期間、管理者等）を表示しておけば、収納ケースを開けずに窓部から記録カートリッジの情報を確認できる上、収納ケースに記録カートリッジと同様の情報を記入する必要が無い。
【００１３】
更に、本発明の記録カートリッジ用の収納ケースであれば、たとえ他の記録カートリッジを取り違えて収納してしまったとしても、容易に取り違えに気付くことが出来る。よって、取り違えによる記録の誤消去や上書き等の事故を防ぐことが出来る。
【００１４】
収納ケースの防塵用の透明フィルムが収納ケースの外側で溶着されていると、収納ケースと透明フィルムの隙間に塵埃が入り込むことが無いので、防塵性をより高められる。
【００１５】
防塵用の透明フィルムの厚さを０．５ｍｍ以下とで収納ケースと同一の材質すると、透明フィルムと収納ケースを超音波溶着により溶着固定することができる。
【図面の簡単な説明】
【００１６】
【図１】本願発明の収納ケースに記録カートリッジを収納し閉じた状態を示す。
【図２】本願発明の収納ケースに記録カートリッジを収納し開いた状態を示す。
【図３】本願発明の収納ケースの別実施例を示す。
【発明を実施するための形態】
【００１７】
図１〜図２に本願の実施例を示す。図１、図２は本願発明の収納ケースに記録カートリッジを収納した状態で、図１は閉じた状態、図２は開いた状態である。本願発明の収納ケース１は、ケース本体２と、ケース本体２に備えた窓部３と、窓部３を覆う透明の防塵フィルム４を備えている。ケース本体２は基部６、蓋部７、繋ぎ部８で構成されており、基部６と繋ぎ部８、蓋部７と繋ぎ部８はそれぞれヒンジを介して繋がっている。ケース本体の材料は、物理的な強度の関係で、ポリプロピレンを使用すると、耐衝撃性が向上して好ましい。本体は落下時に不用意に開かないように、閉じ状態をロックするロック部（不図示）があっても良い。
【００１８】
防塵フィルム４は透明で、ケース本体２の外面に超音波溶着またはヒートシールによって溶着固定されている。本実施例では蓋部７の一部を肉抜きして窓部３としており、従って防塵フィルム４は蓋部７の外面に溶着されており、防塵フィルム４の溶着部５は防塵フィルム４の外形線に沿って形成されている。防塵フィルム４は、例えば延伸フィルムといった防塵性の高い材料を使用するのが好ましい。防塵フィルムがケース本体の外面で溶着されていると収納ケースと透明フィルムの隙間に塵埃が入り込むことが無いので、好ましい。
【００１９】
防塵フィルム４の厚さを０．５ｍｍ以下とで収納ケースと同一の材質？すると好ましい。その理由は、延伸フィルムは一般的に０．５ｍｍ以下のものが安価で入手しやすいことと、収納ケースと同一の材料であると超音波溶着やヒートシール等の一般的な手法で溶着固定することができるからである。
【００２０】
記録カートリッジ１０は基部６に嵌り込むようにして収納され。カートリッジ情報表示１１は、記録カートリッジ１０の蓋部７に面する側で、窓部３に対応する部分に記載されている。カートリッジ情報は視覚的に認識が可能であれば、任意の表示でよい。例えば記録カートリッジへ記録した内容や記録日、記録カートリッジの管理情報を示す管理番号やバーコード表示でも良い。表示の方法は印刷でも、ユーザーが書き込み等任意の方法を採用することが出来る。
【００２１】
図１の閉じた状態から矢印Ｄの方向へ蓋部７を開くと、図２の開き状態となる。図１におけるカートリッジ情報表示１１は、窓部３と防塵フィルム４を介して視認可能である。つまり、ケース本体が不透明な材料で形成されていても、収納ケースを開き状態にすることなくカートリッジ情報を確認することが出来る。更に、本願発明の収納ケースでは窓部３を透明な防塵フィルム４で覆っているので、窓部３を介して収納ケース内に塵埃が進入することがなく、記録カートリッジを長期保存させることが出来る。
【００２２】
本願発明の別実施例を図３に示す。図３の収納ケース２１のように、本体ケース２２には２箇所の窓部２３を設けている。窓部２３の形状は楕円形である。２つの窓部２３からはカートリッジ情報表示３１、３１が視認可能で、この２つのカートリッジ情報表示３１は、同じ情報を示さなくても良い。例えば、一方は管理ナンバーなどの管理情報、もう一方は情報の記録日などユーザーが使い分けることも可能である。防塵フィルム２４は蓋部２７だけではなく、繋ぎ部２８の一部も覆っており、溶着部２５は蓋部２７から繋ぎ部２８へ続いている。
【００２３】
本発明は実施例に限定されることなく、様々な形態を採用することが可能である。例えば、窓部は蓋部に形成されることに限定されず、他の場所に形成されていても良い。また、収納ケースの形状も、これに限定されない。実施例では記録カートリッジとしてテープカートリッジを例示したが、光ディスクカートリッジやハードディスクカートリッジでも良い。
【符号の説明】
【００２４】
１    収納ケース
２    本体ケース
３    窓部
４    防塵フィルム
５    溶着部
１０  記録カートリッジ
１１  カートリッジ情報表示
【図１】
2010267351.tif 000003
【図２】
2010267351.tif 000004
【図３】
2010267351.tif 000005